(57)【要約】【課題】アドレス時にフェースの向きを高精度に設定することが可能となるゴルフクラブヘッドおよび該ヘッドを備えたゴルフクラブを提供する。【解決手段】ヘッド１は、ヘッド本体４と指標部３とを備える。ヘッド本体４は、フェース部２、トウ部８、ヒール部９およびバック部１１を含む。指標部３は、略Ｔ字形状を有し、フェース部２に沿って延在するフェース側部分３ａと、該フェース側部分３ａからバック部１１に向かって延びるバック側部分３ｂとを含む。【選択図】        図１
2004283318.tif 000002
【特許請求の範囲】
【請求項１】
フェース部（２）、トウ部（８）、ヒール部（９）およびバック部（１１）を含むヘッド本体（４）と、
前記ヘッド本体（４）の上面に設けられ、前記フェース部（２）に沿って延在するフェース側部分（３ａ）と、該フェース側部分（３ａ）から前記バック部（４）に向かって延びるバック側部分（３ｂ）とを含む指標部（３）とを備え、
前記バック側部分（３ｂ）の前記トウ・ヒール方向の幅を、前記フェース側部分（３ａ）のフェース・バック方向の幅よりも広くした、ゴルフクラブヘッド。
【請求項２】
フェース部（２）、トウ部（８）、ヒール部（９）およびバック部（１１）を含むヘッド本体（４）と、
前記ヘッド本体（４）の上面に設けられ、前記フェース部（２）に沿って延在するフェース側部分（３ａ）と、該フェース側部分（３ａ）の中央部から前記バック部（４）に向かって延びるバック側部分（３ｂ）とで構成されるＴ字形状を有する指標部（３）とを備え、
前記バック側部分（３ｂ）の前記トウ・ヒール方向の幅を、前記フェース側部分（３ａ）のフェース・バック方向の幅よりも広くした、ゴルフクラブヘッド。
【請求項３】
前記指標部（３）を凸状に設けた、請求項１または請求項２に記載のゴルフクラブヘッド。
【請求項４】
前記指標部（３）を前記ヘッド本体（４）の材質と異なる材質で構成し、
前記ヘッド本体（４）の上面に前記指標部（３）を取付けた、請求項１から請求項３のいずれかに記載のゴルフクラブヘッド。
【請求項５】
前記フェース側部分（３ａ）は、前記フェース部（２）近傍を前記トウ部（８）近傍からヒール部（９）近傍にまで延在し、
前記バック側部分（３ｂ）は、前記ヘッド本体（４）の上面において前記フェース部（２）から最も離れた部分にまで達する、請求項１から請求項４のいずれかに記載のゴルフクラブヘッド。
【請求項６】
前記ヘッド本体（４）の上面の色相、明度、彩度、表面粗度の少なくともいずれかを、前記指標部（３）の上面の色相、明度、彩度、表面粗度と異ならせた、請求項１から請求項５のいずれかに記載のゴルフクラブヘッド。
【請求項７】
前記指標部（３）の上面に打球方向を指示する打球方向指示線（６）を設けた、請求項１から請求項６のいずれかに記載のゴルフクラブヘッド。
【請求項８】
前記フェース側部分（３ａ）の長手方向の中央部を表示する中央表示部（７）を設けた、請求項１から請求項７のいずれかに記載のゴルフクラブヘッド。
【請求項９】
前記バック側部分（３ｂ）の前記トウ・ヒール方向の幅を、フェース部（２）から離れるに従って狭くした、請求項１から請求項８のいずれかに記載のゴルフクラブヘッド。
【請求項１０】
前記フェース側部分（３ａ）のフェース・バック方向の幅を、前記フェース側部分（３ａ）における前記トウ・ヒール方向の中央部において最も広くし、前記トウ部（８）およびヒール部（９）に近づくに従って狭くした、請求項１から請求項９のいずれかに記載のゴルフクラブヘッド。
【請求項１１】
請求項１から請求項１０のいずれかに記載のゴルフクラブヘッドを備えたゴルフクラブ。
【発明の詳細な説明】
【０００１】
【発明の属する技術分野】
本発明は、ゴルフクラブヘッドおよびゴルフクラブに関し、特に、上面に指標部を有するゴルフクラブヘッドの構造および該ヘッドを備えたゴルフクラブに関する。
【０００２】
【従来の技術】
従来から、イメージした方向にボールを打ち出すことができるように、ゴルフクラブヘッドの上面に様々な指標を設けるなどの工夫がなされている。
【０００３】
たとえばゴルフパターでは、ヘッドの上面にラインを形成した例が、特開平９−６６７号公報や、特開平１０−１２７８３４号公報に記載されている。
【０００４】
また、ゴルフパターのヘッド自体をＴ字形状としたものが、たとえば特開平８−２６６６９５号公報や特開２００１−６２００９号公報に記載されている。
【０００５】
【特許文献１】
特開平９−６６７号公報
【０００６】
【特許文献２】
特開平１０−１２７８３４号公報
【０００７】
【特許文献３】
特開平８−２６６６９５号公報
【０００８】
【特許文献４】
特開２００１−６２００９号公報
【０００９】
【発明が解決しようとする課題】
ところが、上述の例のようにヘッドの上面にラインを設けたとしても、該ラインだけではアドレス時にボールに対してフェースの向きを高精度に設定することは困難である。特に、パターゴルフクラブで実際にパットを行い絶対にカップ・インさせたい場合のように非常にプレッシャーがかかる状況では、アドレス時にフェースの向きを高精度に設定することは困難となり、パットミスが生じ易くなる。
【００１０】
また、パターゴルフクラブのヘッド自体をＴ字形状とした場合には、アドレス時にフェースの向きを設定するための指標となる部分がない。また、トップエッジ部分と該トップエッジ部分の中央部からバック方向に延びるバック側部分とを有する指標を設けたゴルフクラブヘッドも存在するが、トップエッジ部分とバック側部分の幅が等しいので、アドレス時にフェースの向きを設定するための指標としては見ずらい。そのため、ヘッド全体の形状からフェースの向きを設定することが必要となり、アドレス時にボールに対してフェースの向きを設定するための基準が大きくなりすぎ、該基準を認識するのが容易ではなくなる。したがって、微妙なフェースの向きの変動を判別し難くなり、やはりパットミスが生じ易くなる。
【００１１】
そこで、本発明は、アドレス時にフェースの向きを高精度に設定することが可能となるゴルフクラブヘッドおよび該ヘッドを備えたゴルフクラブを提供することを目的とする。
【００１２】
【課題を解決するための手段】
本発明に係るゴルフクラブヘッドは、１つの局面では、フェース部、トウ部、ヒール部およびバック部を含むヘッド本体と、ヘッド本体の上面に設けられ、フェース部に沿って延在するフェース側部分と、該フェース側部分からバック部に向かって延びるバック側部分とを含む指標部とを備え、指標部のバック側部分のトウ・ヒール方向の幅を、フェース側部分のフェース・バック方向の幅よりも広くする。ここで、フェース・バック方向とは、ヘッド本体のフェース部からバック部に向かう方向のことであり、トウ・ヒール方向とは、ヘッド本体のトウ部からヒール部に向かう方向のことである。
【００１３】
このように指標部がフェース側部分とバック側部分とを含むので、これらの双方を用いてアドレス時にフェースの向きを調節することができる。このとき、指標部のバック側部分のトウ・ヒール方向の幅を、フェース側部分のフェース・バック方向の幅よりも広くすることにより、指標部においてバック側部分が強調されたインパクトのある形状となり、アドレス時にフェースの向きを設定するための指標として認識し易いものとなる。
【００１４】
本発明に係るゴルフクラブヘッドは、他の局面では、フェース部、トウ部、ヒール部およびバック部を含むヘッド本体と、ヘッド本体の上面に設けられ、フェース部に沿って延在するフェース側部分と、該フェース側部分の中央部からバック部に向かって延びるバック側部分とで構成される略Ｔ字形状を有する指標部とを備え、指標部のバック側部分のトウ・ヒール方向の幅を、フェース側部分のフェース・バック方向の幅よりも広くする。
【００１５】
このように指標部がフェース側部分とバック側部分とを含む略Ｔ字形状を有することで、該Ｔ字形状におけるフェース側部分とバック側部分との双方を用いてアドレス時にフェースの向きを調節することができる。また、該Ｔ字形状の指標部においてバック側部分のトウ・ヒール方向の幅を、フェース側部分のフェース・バック方向の幅よりも広くすることにより、指標部においてバック側部分が強調されたインパクトのあるＴ字形状となり、アドレス時にフェースの向きを設定するための指標として認識し易いものとなる。
【００１６】
上記指標部は凸状に設けることが好ましい。また、指標部をヘッド本体の材質と異なる材質で構成し、ヘッド本体の上面に指標部を取付けてもよい。上記フェース側部分は、好ましくは、フェース部近傍をトウ部近傍からヒール部近傍にまで延在し、バック側部分は、好ましくは、ヘッド本体の上面においてフェース部から最も離れた側の部分にまで達する。
【００１７】
上記ヘッド本体の上面の色相、明度、彩度の少なくともいずれかを、指標部の上面の色相、明度、彩度と異ならせることが好ましい。
【００１８】
上記指標部の上面に打球方向を指示する打球方向指示線を設けたり、フェース側部分の長手方向の中央部を表示する中央表示部を設けてもよい。
【００１９】
上記バック側部分のトウ・ヒール方向の幅を、フェース部から離れるに従って狭くしたり、フェース側部分のフェース・バック方向の幅を、フェース側部分におけるトウ・ヒール方向の中央部において最も広くし、トウ部およびヒール部に近づくに従って狭くすることが好ましい。
【００２０】
本発明に係るゴルフクラブは、上述のゴルフクラブヘッドを備える。したがって、アドレス時にフェースの向きを高精度に設定することができ、スムーズなスイングが可能となるゴルフクラブが得られる。
【００２１】
【発明の実施の形態】
以下、本発明の実施の形態におけるゴルフクラブヘッドおよびゴルフクラブについて説明する。本実施の形態は、ウッドゴルフクラブ、アイアンゴルフクラブおよびパターゴルフクラブのいずれにも適用可能であるが、特にパターゴルフクラブに有用である。
【００２２】
本実施の形態におけるゴルフクラブは、後述するゴルフクラブヘッド、シャフトおよびグリップを備える。ゴルフクラブヘッドは、ヘッド本体と、該ヘッド本体上面に指標部とを備える。シャフトおよびグリップとしては周知のものを採用可能である。
【００２３】
ヘッド本体は、たとえばステンレス、チタン合金等の金属、あるいは樹脂などの金属以外の素材と金属との複合素材で構成される。ウッドゴルフクラブの場合、ヘッド本体は、典型的には金属製外殻構造であり、フェース部、クラウン部、ソール部、トウ部、ヒール部およびバック部を備える。アイアンゴルフクラブの場合、ヘッド本体は、たとえば金属製外殻構造やキャビティバック構造であり、フェース部、ソール部、トウ部、ヒール部およびバック部を備える。パターゴルフクラブの場合、ヘッド本体は、典型的には金属製中実構造であり、フェース部、トウ部、ヒール部およびバック部を備える。
【００２４】
指標部は、フェース部に沿って延在するフェース側部分と、該フェース側部分からバック部に向かって延びるバック側部分とを含む。したがって、フェース側部分とバック側部分との双方を用いてアドレス時にフェースの向きを調節することができる。ここで、「アドレス」とは、ゴルフボールを打つため、ゴルフクラブをボールに接触させないでボールの後側にセットする構えのことである。
【００２５】
指標部は、好ましくは、フェース側部分と、該フェース側部分の中央部からバック部に向かって延びるバック側部分とで構成される略Ｔ字形状を有する。このように指標部が略Ｔ字形状を有することで、指標部を目立たせることができ、アドレス時に指標部をはっきりと認識することができる。よって、絶対にカップ・インさせたい場合のように非常にプレッシャーがかかる状況下でも、指標部に注意を向けることができ、アドレス時にフェースの向きを高精度に調節することができる。
【００２６】
フェース側部分は、フェース部の上端縁であるトップエッジ近傍に配置されることが好ましい。それにより、アドレス時に該フェース側部分を容易に認識することができ、フェースの向きを高精度に調節することができる。
【００２７】
また、バック側部分を、フェース面と略垂直な方向（後方側）に延在させることで、該バック側部分に沿う方向にストロークすることで理想のストロークを実現することができ、特にパターゴルフクラブヘッドの場合に非常に打球の方向性に優れたヘッドを実現することができる。
【００２８】
さらに、バック側部分を後方に延在させることで、スムーズにスイングし易くなる。それにより、思い通りのパットスイングを行い易くなり、ボールをしっかりヒットさせることができ、ミスショットを減じることができる。その上、デザインの自由度を広げられるので、デザイン性に優れたヘッドを作製することができる。
【００２９】
上記の効果は、指標部がある程度以上の大きさを有する場合に特に顕著となるものと考えられる。たとえば、指標部のフェース側部分の長さを、トウ部からヒール部に向かう方向であるトウ・ヒール方向におけるフェース部の長さの５０％以上１００％以下程度とし、指標部のバック側部分の長さを、フェース部からバック部に向かう方向であるフェース・バック方向におけるヘッド本体の長さの５０％以上１００％以下程度とすることが考えられる。
【００３０】
また、フェース側部分が、フェース部近傍（トップエッジ部近傍）をトウ部近傍からヒール部近傍にまで延在し、バック側部分が、ヘッド本体上面においてフェース部から最も離れた部分にまで達する場合にも、上記の効果は顕著となるものと考えられる。
【００３１】
上記指標部はヘッド本体上面において凹状に設けてもよいが、凸状に設けることが好ましい。たとえばフェース側部分とバック側部分とをともにある程度の厚みの板状部材などの中実部材や、中空部材で構成したり、フェース側部分とバック側部分とを比較的広い幅の凸部で構成することが考えられる。それにより、指標部を効果的に目立たせることができ、アドレス時に指標部をより明確に認識することができる。
【００３２】
該指標部は、ヘッド本体と同じ材質で構成することも可能であるが、ヘッド本体と異なる材質で構成してもよい。指標部をヘッド本体と同じ材質で構成する場合には、たとえばヘッド本体を鋳造や鍛造などで成形する際に凸部を設けたり、ヘッド本体に機械加工などを施して凸部を設けることができる。
【００３３】
指標部をヘッド本体と異なる材質で構成する場合、好ましい例として、指標部を樹脂で構成し、ヘッド本体を金属で構成することが考えられる。樹脂としては、たとえばアクリル樹脂、ポリカーボネート樹脂、塩化ビニール樹脂、アクリロニトリル・ブタジエン・スチレン共重合体（ＡＢＳ）樹脂、ポリプロピレン樹脂、ウレタン樹脂またはそれらのエラストマーなどを使用可能である。該指標部をヘッド本体に取付ける際には、たとえば両面テープや接着剤などを用いてヘッド本体の上面に指標部を接合すればよい。それにより、指標部をヘッド本体の上面で浮かび上がらせたような状態とすることができ、指標部を効果的に目立たせることができる。
【００３４】
上記ヘッド本体上面の色相、明度、彩度、表面粗度の少なくともいずれかを、指標部上面の色相、明度、彩度、表面粗度と異ならせることが好ましい。たとえば、指標部以外のヘッド本体上面に対して指標部よりも明度を抑制する加工を施したり、ヘッド本体上面と指標部上面の表面粗度を異ならせるなどして仕上げ状態を異ならせる加工を施すことが考えられる。
【００３５】
明度を抑制する加工としては、たとえば黒色などの明度および彩度の低い色の塗料を塗布したり、ラバーなどでヘッド本体上面をコーティングすることが考えられる。仕上げ状態を異ならせる加工としては、たとえばヘッド本体上面を梨地などの艶消し面としたり、メッキによる艶消し面とすることが考えられる。
【００３６】
また、ヘッド本体上面と指標部上面の色を異ならせたり、ヘッド本体上面と指標部上面に付す色の鮮やかさの程度を異ならせたり、ヘッド本体上面と指標部上面に異なる模様、文字、記号などを付すことも考えられる。
【００３７】
上記のようにヘッド本体上面と指標部上面の色相、明度、彩度、表面粗度の少なくともいずれかを異ならせることで、たとえばヘッド本体と指標部との間のコントラストを強調することができ、指標部をさらに目立たせることができる。
【００３８】
また、バック側部分のトウ・ヒール方向の幅（トウ部からヒール部に向かう方向の幅）を、フェース側部分のフェース・バック方向の幅（フェース部からバック部に向かう方向の幅）よりも広くすることが好ましい。
【００３９】
上記のようにバック側部分のトウ・ヒール方向の幅をフェース側部分のフェース・バック方向の幅よりも広くすることにより、指標部がインパクトのある形状となり、アドレス時に緊張状態にある場合でも指標部に意識を向けさせることができる。それにより、たとえばパッティング時のように緊張状態となり易い場合でもスムーズにストロークすることができる。
【００４０】
また、フェース側部分、つまりヘッド本体のトップエッジ部分のみが強調されるのを抑制することができ、結果として方向性を認識しずらくなることを避けることもできる。なお、バック側部分のトウ・ヒール方向の幅は、ゴルフボールの直径程度の幅が適当である。
【００４１】
バック側部分のトウ・ヒール方向の幅を全体にわたってフェース側部分のフェース・バック方向の幅よりも広くし、フェース面のスイートスポットの上方に位置するフェース側部分からフェース面に直交するように真直ぐ後方にバック側部分を延在させることも考えられる。このような形状の場合には、アドレス時に指標部のバック側部分に意識を集中し易くなり、打球方向がさらに認識し易くなる。
【００４２】
また、フェース側部分の中央部のフェース・バック方向の幅を、フェース側部分のトウ・ヒール方向の端部のフェース・バック方向の幅よりも広くすることも考えられる。たとえばフェース側部分のフェース・バック方向の幅を、フェース側部分におけるトウ・ヒール方向の中央部において最も広くし、トウ部およびヒール部に近づくに従って狭くすることが考えられる。
【００４３】
また、フェース側部分との接続部におけるバック側部分のトウ・ヒール方向の幅を、バック側部分の後端部のトウ・ヒール方向の幅よりも広くし、フェース側部分の後方側の端縁、バック側部分のトウ側の端縁およびバック側部分のヒール側の端縁を滑らかな曲線で構成することも考えられる。このとき、バック側部分のトウ・ヒール方向の幅を、フェース部から離れるに従って（後方に向かうにつれて）狭くすることが好ましい。
【００４４】
上記のようにフェース側部分との接続部におけるバック側部分のトウ・ヒール方向の幅を、バック側部分の後端部のトウ・ヒール方向の幅よりも広くすることにより、プレイヤー目の錯角でバック側が幅広に重く感じられるため滑らかに振り抜けるような感覚が得られず結果的にアドレス時に不安定になり易くなるという事態を回避することができる。
【００４５】
上記指標部の上面に打球方向を指示する打球方向指示線を設けてもよい。それにより、アドレス時に打球方向をより明確に認識することができ、パットミスなどのミスショット低減に寄与し得る。
【００４６】
打球方向指示線は、典型的には、フェース面の中央部（好ましくは、スイートスポットの中心位置）を示すように、フェース面と略直交する方向にフェース側部分およびバック側部分の中央部上を延在する。該指示線の長さは任意に選択可能であり、指標部におけるフェース部側の端部およびバック部側の端部に達していても達していなくてもよい。また、打球方向指示線は、典型的には直線で構成されるが、直線以外の線で構成してもよく、断続的な線で構成してもよい。さらに、指示線の数も単数、複数のいずれでもよい。
【００４７】
上記の打球方向指示線は、指標部上面に段差や溝などの凹凸部を設けることで形成してもよく、指標部上面に白色などの明度および彩度の高い色の塗料を塗布するなどして描いてもよい。また、樹脂などを凹部に流し込んでポッティング加工を施してもよい。
【００４８】
指標部に、フェース側部分の長手方向の中央部、つまりフェース面の中央部を表示する中央表示部を設けてもよい。それにより、アドレス時に、この部分に意識を集中することができる。また、通常はフェース面の中央部にスイートスポットが存在するので、スイートスポットの中心で打球し易くなり、パットミスなどのミスショット低減にも繋がる。
【００４９】
上記の中央表示部は、たとえばフェース側部分の長手方向の中央部に段差部を設けたり、該中央部の少なくとも一部を囲む凹部や凸部を形成したり、線を描くなどして、該中央部を、指標部の他の部分と区画することで形成可能である。また、フェース側部分の長手方向の中央部の色や模様などを、該中央部以外の部分における指標部上面の色や模様などと異ならせることで中央表示部を設けることも考えられる。
【００５０】
中央表示部の形状としては、任意形状を選択できるが、たとえば楕円形、円形あるいはこれらに近い形状、多角形などが考えられる。また、フェース側部分の外周を利用して中央表示部の一部を規定するようにしてもよい。
【００５１】
【実施例】
以下、本発明の実施例について図１〜図７を用いて説明する。
【００５２】
（実施例１）
図１に、本発明の実施例１におけるパターゴルフクラブのヘッド１を示し、図２および図３に、本実施例１におけるパターゴルフクラブのヘッド１の変形例を示す。
【００５３】
本実施例１におけるパターゴルフクラブは、図１に示すヘッド１と、シャフトおよびグリップとを備える。シャフトおよびグリップとしては周知のものを採用できるので、その図示および説明は省略する。
【００５４】
図１に示すように、ヘッド１は、ヘッド本体４と指標部３とを備える。ヘッド本体４は、ステンレス製であり、フェース部２、トウ部８、ヒール部９およびバック部１１を有する。
【００５５】
指標部３は、熱可塑性エラストマー製であり、略Ｔ字形状を有し、フェース側部分３ａとバック側部分３ｂとを有する。該指標部３は、両面テープと接着剤を併用してヘッド本体４の上面に取付けられる。つまり、指標部３は、ヘッド本体４の上面に凸状に設けられる。指標部３の突出高さは、１８ｍｍ以上２７ｍｍ以下程度である。
【００５６】
フェース側部分３ａは、ヘッド本体４のトップエッジに沿って延在し、フェース側部分３ａのトウ・ヒール方向の端部の幅Ｗ１は１１ｍｍ程度であり、バック側部分３ｂの後方側端部の幅Ｗ３は３３ｍｍ程度である。フェース側部分３ａとバック側部分３ｂの接続部におけるバック側部分３ｂの幅Ｗ２は３５ｍｍ程度である。
【００５７】
また、フェース側部分３ａおよびバック側部分３ｂのコーナ部５ａは尖っているもののコーナ部５ｂ〜５ｃは丸められており、フェース側部分３ａは、その長手方向の中央部からトウ・ヒール方向の端部に向かって徐々に幅が狭くなるテーパ形状を有し、バック側部分３ｂは、フェース側部分３ａとの接続部から後方側端部に向かうにつれて若干幅が狭くなるものの略矩形に近いテーパ形状を有している。
【００５８】
ヘッド本体４の上面は、たとえば黒いラバー調で艶消し塗装し、指標部３の上面を艶消し感のある白色系仕上げとする。それにより、指標部３を目立たせることができる。
【００５９】
次に、図２と図３を用いて、本実施例１の変形例について説明する。
図２に示すように、指標部３の上面中央部に、フェース・バック方向に延びる打球方向指示線６を形成してもよい。該打球方向指示線６は、スイートスポットの上方に位置するトップエッジ部近傍のフェース側部分３ａからバック側部分３ｂの後端に達するように直線状に設けられる。図２の例では、指標部３の上面中央部を横切るように凹溝を設けることで、打球方向指示線６を形成している。
【００６０】
また、図３に示すように、フェース側部分３ａの長手方向の中央部に中央表示部７を設けてもよい。図３の例では、フェース側部分３ａの長手方向の中央部、つまりスイートスポットの上方に位置する部分に略楕円形状の段差部を形成することにより中央表示部７を設けている。この中央表示部７に指標部３の他の部分とは異なる色の着色を施すなどして、中央表示部７をさらに目立たせるようにしてもよい。
【００６１】
（実施例２）
次に、本発明の実施例２について図４および図５を用いて説明する。本実施例２では、ウッドゴルフクラブのヘッド本体４の上面に指標部３を設ける。
【００６２】
図４および図５に示すように、ウッドゴルフクラブのヘッド１は、チタン合金製の外殻構造を有し、フェース部２、トウ部８、ヒール部９、クラウン部１０、バック部１１およびソール部１２を有する。
【００６３】
クラウン部１０の上面に、凸状に指標部３を形成する。図４および図５の例では指標部３は、略Ｔ字形状であり、フェース側部分３ａとバック側部分３ｂとを有し、クラウン部１０と同じ材質で構成される。該指標部３は、クラウン部１０の成形と同時に形成可能である。
【００６４】
本実施例２では、指標部３にクラウン部１０と異なる色を塗布するなどして、指標部３が目立つようにすることができる。なお、クラウン部１０からの指標部３の突出高さは、０．５ｍｍ以上５ｍｍ以下程度である。
【００６５】
（実施例３）
次に、図６および図７を用いて、本発明の実施例３について説明する。本実施例３では、アイアンゴルフクラブのヘッド本体４の上面に指標部３を設ける。
【００６６】
図６および図７に示すように、アイアンゴルフクラブのヘッド１は、ステンレス製であり、キャビティバック構造を有し、フェース部２、トウ部８、ヒール部９、バック部１１およびソール部１２を有する。
【００６７】
そして、フェース部２のトップエッジ部からバック部１１側に向かって延びるように指標部３を設ける。指標部３は、略Ｔ字形状であり、フェース側部分３ａとバック側部分３ｂとを有し、ヘッド本体４と同じ材質で構成される。本実施例３でも、指標部３は凸状に形成される。
【００６８】
本実施例３の場合も、指標部３にヘッド本体４の上面と異なる色を塗布するなどして、指標部３が目立つようにすることができる。なお、ヘッド本体４の上面からの指標部３の突出高さは、０．５ｍｍ以上５ｍｍ以下程度である。
【００６９】
以上のように本発明の実施の形態および実施例について説明を行なったが、今回開示した実施の形態および実施例は全ての点で例示であって制限的なものではないと考えられるべきである。本発明の範囲は特許請求の範囲によって示され、特許請求の範囲と均等の意味および範囲内での全ての変更が含まれる。
【００７０】
【発明の効果】
本発明によれば、指標部のフェース側部分とバック側部分との双方を用いてゴルフクラブヘッドのフェースの向きを調節することができるので、アドレス時にフェースの向きを高精度に設定することが可能となる。
【図面の簡単な説明】
【図１】本発明の実施例１におけるゴルフクラブヘッドの平面図である。
【図２】実施例１の変形例におけるゴルフクラブヘッドの平面図である。
【図３】実施例１の他の変形例におけるゴルフクラブヘッドの平面図である。
【図４】本発明の実施例２におけるゴルフクラブヘッドの平面図である。
【図５】図４に示すゴルフクラブヘッドの背面図である。
【図６】本発明の実施例３におけるゴルフクラブヘッドの平面図である。
【図７】図６に示すゴルフクラブヘッドの背面図である。
【符号の説明】
１  ヘッド、２  フェース部、３  指標部、３ａ  フェース側部分、３ｂ  バック側部分、４  ヘッド本体、５ａ〜５ｃ  コーナ部、６  打球方向指示線、７中央表示部、８  トウ部、９  ヒール部、１０  クラウン部、１１  バック部、１２  ソール部。
【図１】
2004283318.tif 000003
【図２】
2004283318.tif 000004
【図３】
2004283318.tif 000005
【図４】
2004283318.tif 000006
【図５】
2004283318.tif 000007
【図６】
2004283318.tif 000008
【図７】
2004283318.tif 000009